(57)【特許請求の範囲】
【請求項１】
記録媒体上の記録層の特定領域に物理的に異なる性状を作り出すことにより情報を記録し、再生時には前記記録層の物理的性状の差異を検出することにより情報を再生する情報記録再生方法において、
情報を記録再生するヘッドと記録媒体を近接かつ対向して配置し、情報を記録する際に、前記ヘッドにより、前記記録層に光透過特性が異なる特定領域を、前記記録層の放電現象による除去により形成する形成工程を実行しながら、前記記録層の前記特定領域側の面とは反対側の面から光を照射し、その状態で前記記録層を介した光量が所望レベルに到達したことに基づいて前記形成工程を停止し、
情報再生時には、前記記録層の前記特定領域側の面とは反対側の面から光を照射し、前記特定領域の光透過性を前記ヘッドで検出することを特徴とする情報記録再生方法。
【請求項２】
記録媒体上の記録層の特定領域に物理的に異なる性状を作り出すことにより情報を記録し、再生時には前記記録層の物理的性状の差異を検出することにより情報を再生する情報記録再生装置において、
情報を記録再生するヘッドと記録媒体から構成され、
前記ヘッドと前記記録媒体を近接かつ対向して配置する構造を有し、
前記ヘッドが、
前記記録媒体上の記録層の特定領域に光透過特性が異なる特定領域を、前記記録層の放電現象による除去の方法により情報の記録を行う情報記録機構と、
前記記録層の前記特定領域側の面とは反対側の面から光を照射することによって、光が照射されている前記記録層の前記特定領域の光透過性を検出することにより情報の再生を行う情報再生機構と
を有し、
前記情報記録機構と前記情報再生機構が同一のヘッド内に含まれるものであり、
前記ヘッドが、光透過性を有せず，かつ導電性も有しない性状の領域Ｃの中に、光を透過しかつ導電性を有する性状の領域Ｄを少なくともひとつ配置した構造を有しており、
前記情報記録機構として、前記領域Ｄと記録媒体間に所定の電圧を印加する電圧印加手段と、
前記情報再生機構として、前記記録層の前記特定領域側の面とは反対側の面に光を照射することによって、前記記録媒体上の前記特定領域の光透過特性を前記領域Ｄを介して検出する光学特性検出手段と
を有し、
前記情報記録機構は、前記方法より前記特定領域を形成しながら、前記記録層の前記特定領域側の面とは反対側の面に光を照射して、その状態で前記記録層及び前記領域Ｄを介した光量が所望レベルに到達したことに基づいて前記方法による前記特定領域の形成を停止するものであることを特徴とする情報記録再生装置。
【請求項３】
前記記録媒体が、前記記録層と、前記記録層の前記ヘッド側の面とは反対側に備えられ、光を透過しかつ導電性を有する層とを含む請求項２記載の情報記録再生装置。
【発明の詳細な説明】
【０００１】
【発明の属する技術分野】
本発明は、情報産業分野において、情報を記録再生する方法、および装置に関する。
【０００２】
【従来の技術】
情報を記録再生する方法としては，大別すると磁気的に記録再生を行う方法と、光学的に記録再生を行う2つの方法が一般的に用いられている。磁気的に記録再生を行う方法としては、磁性材料を塗布した記録媒体に情報を記録再生するための磁気ヘッドを近接させ、磁気ヘッドと記録媒体を相対的に移動させながら、記録する情報に応じて磁気ヘッドに流す電流の大きさを変化させ、これにより生じる磁界の変化を記録媒体上の磁性材料に記録することにより、情報の記録が行われる。情報を再生する場合は、同様に磁気ヘッドと記録媒体を相対的に移動させ、記録媒体上の磁性の変化を磁気ヘッド上に誘起される電流や電圧の大きさの変化として検出することにより行う。
【０００３】
一方、光学的に記録再生を行う場合には、記録媒体上に物理的な凹凸として情報を記録しておき、再生する場合には、この凹凸の違いによる光の反射の差や散乱により、センサに入射する光の強度の差を検出する。また、他の光学的な記録再生方法としては、加熱により相変化し、その相変化の前後で反射率が異なる記録材料を記録媒体に塗布しておき、情報を記録する際には、レーザー光等を照射することで発熱による記録媒体上の材料に相変化を生じさせ、再生時には、記録材料の反射率の違いをセンサに入射する光の強度の差として検出する方法なども利用されている。
【０００４】
さらに、光磁気記録という方式では、情報記録時にはレーザー光を照射して高温にした状態で外部から磁界を印加することで、記録媒体上にある磁性材料の磁気特性を変化させることで記録を行う。そして、再生時には記録媒体上に記録された磁気特性の違いを、レーザー光を照射した際の反射光の偏光の差として検出することにより再生を行うなどの方法がある。
【０００５】
【発明が解決しようとする課題】
しかし、従来の情報記録方法および装置にはいくつかの課題を有している。
【０００６】
まず、磁気的な記録方法の場合には、記録密度が高くなるに従って情報を保持する領域が微細化することにより、磁性の微弱になるため、記録された磁力を読み込むことが困難になるという課題がある。このため、現在はこうした微弱な磁気を検出するために巨大磁気抵抗素子を使用しているが、この素子は情報の記録には利用できないため、情報を記録するためには、微小なコイルを使用した記録用のヘッドを使用しなければならず、ヘッド部を小型化して、複数のヘッドをアレイ状に配置する方法をとることが難しい。また、さらに記録密度が向上し、1ビットの大きさが0.1μｍを下回ると、現在の磁気記録方式ではビットを構成する磁性粒子が小さくなりすぎ、熱運動により記録を安定に保持できなくなるという問題が生じる。
【０００７】
一方，光学的な記録方法の場合も、記録密度が向上し、記録ビットの大きさがレーザー光の波長以下になってしまうと、光の回折限界を越えてしまうため、この場合も記録した情報の再生ができなくなってしまうという問題が生じる。さらに光学的な記録方法の場合には、情報の記録と再生を同一の装置で行う場合には、レーザー光を照射して、記録媒体上にある記録層の材料の相変化を利用して記録を行うが、相変化を起こす温度に加熱するためにはかなりのエネルギーを要するため、装置の消費電力が大きくなってしまうという課題がある。また、光磁気記録の場合も、記録時には記録媒体の磁性の極性を外部から地場を印加して変化させることができる温度まで加熱する必要があるため、同様に装置の消費電力が大きくなってしまうという課題がある。
【０００８】
【課題を解決するための手段】
上記の課題を解決するため、本発明の情報記録再生方法および情報記録再生装置では次のように構成を有している。
【０００９】
まず、情報記録再生する方法としては、情報を記録再生するヘッドと記録媒体を近接かつ対向して配置し、情報を記録する際には、ヘッドにより、記録媒体上の記録層の特定領域に光透過特性、あるいは光吸収特性、あるいは光反射特性の少なくともいずれか一つが異なる領域を、記録層への電気化学反応による物質の析出、あるいは記録層の電気化学反応によるイオン化、あるいは記録層のエレクトロクロミズム現象、あるいは記録層の放電現象による除去、あるいは記録層の電界蒸発による除去の少なくともいずれか一つの方法により形成する。そして、記録した情報を再生する際には、上記の現象によって生じた光学的特性の差異をヘッドで検出するという方法を用いる。
【００１０】
また、情報記録再生装置では、情報を記録再生するヘッドは記録媒体上の記録層の特定領域に光透過特性、あるいは光吸収特性、あるいは光反射特性の少なくともいずれか一つが異なる領域を、記録層上への電気化学反応による物質の析出、あるいは記録層の電気化学反応によるイオン化、あるいは記録層のエレクトロクロミズム現象、あるいは記録層の放電現象による除去、あるいは記録層の電界蒸発の少なくともいずれか一つの方法により情報の記録を行う情報記録機構と、記録層の特定領域の光透過性、あるいは光吸収性、あるいは光反射特性を検出、あるいは測定することにより情報の再生を行う情報再生機構から構成されている。
【００１１】
この場合、ヘッドは、光を透過するが導電性を有しない性状の領域Ａと、光を透過しないが導電性を有する性状の領域Ｂを配置した構造を少なくともひとつ有しており、さらに情報の記録を行うための領域Ｂと記録媒体間に所定の電圧を印加する電圧印加手段と、情報を再生する手段として、記録媒体上の光透過特性、あるいは光吸収特性、あるいは光反射特性を領域Ａを介して検出・測定する光学特性検出手段も併せて具備している。
【００１２】
また、ヘッドの別の構成としては、光透過性を有せずかつ導電性も有しない性状の領域Ｃの中に、光を透過しかつ導電性を有する性状の領域Ｄを少なくともひとつ配置した構造を有しており、さらに情報の記録を行うための前記領域Ｄと記録媒体間に所定の電圧を印加する電圧印加手段と、情報を再生する手段として、記録媒体上の光透過特性、あるいは光吸収特性、あるいは光反射特性を領域Ｄを介して検出・測定する光学特性検出手段を併せて具備する構造としてもよい。
【００１３】
この情報記録機構と情報再生機構が同一のヘッド内に含まれている構成や、情報記録機構と前記情報再生機構の少なくともいずれか一つが複数のヘッド内に含まれている構成をとることも考えられる。
【００１４】
このような構成の場合、情報を記録するために必要なエネルギーを非常に小さくすることが可能であり、装置の消費電力を低減することができる。また、前述した領域Ａや領域Ｂを微細化して記録密度を向上させる場合でも、ヘッドと記録媒体間に流れるトンネル電流をパラメータとして、ヘッドと記録媒体間の距離を微小に制御したり、トンネル電流そのものを利用して電気化学反応、エレクトロクロミズム現象、放電現象あるいは電解蒸発を生じせしめることにより、容易に記録密度を向上させることができる。また、そのように高密度に記録された記録媒体上の情報を、近視野光を利用すれば、光の回折限界以下の分解能で読み取ることも可能である。
【００１５】
【発明の実施の形態】
以下に、本発明の実施例を図に基づいて説明する。
◎実施の形態1
図１は、本発明の情報記録装置を構成するヘッドの構造の一例を模式的に示したものである。絶縁性で遮光性を有する材料からなるヘッド基板１０１の一面に、導電性を有するが遮光性を有する材料からなる記録用電極層１０２が形成されている。さらに記録層１０２の上には１ビットあたりの記録領域を微小化するための絶縁層１０３が形成されている。なお、この絶縁層１０３は、記録用電極層１０２のサイズが十分に小さければ不要であるが、実際には記録用電極層１０２の配線を外部に取り出す際の配線パターン部分は絶縁層１０３で被覆しておく必要がある。一方、ヘッド基板１０１の一部の領域には光透過性を有する再生用開口１０４が設けられている。
【００１６】
このような構造のヘッドは以下の工程により製作する。ヘッド基板１０１の材料としてはシリコン基板を使用し、異方性エッチングにより、表面と裏面を貫通する微細な穴を形成し、これを再生用開口１０４として使用する。次にシリコン基板の一面に、真空蒸着法を用いてクロム層を形成した後、このクロム層をフォトエッチングにより所望の形状にパターニングしたものを記録用電極層１０２として使用する。さらに、記録用電極層１０２の上にポリイミド層を形成し、これもフォトリソグラフィ等の方法により所望の形状にパターニングしたものを絶縁層１０３として使用する。なお、ここで例としてあげた材料、および製作工程は、同様の結果が得られるものであれば他の材料、製作工程を使用しても何ら問題はない。
◎実施の形態２
図２は、実施の形態１とは異なるヘッド構造の一例を模式的に示したものである。絶縁性で遮光性を有する材料からなるヘッド基板１０１の一面に、導電性と光透過性を有する材料からなる記録用電極層２０１が形成されている。さらに記録用電極層２０１の上には、実施の形態１と同様に、絶縁層１０３が形成されている。一方、ヘッド基板１０１の記録用電極層２０１が形成されている部分には、実施の形態１と同様に再生用開口２０２が設けられている。
【００１７】
このような構造のヘッドは以下の工程により製作する。ヘッド基板１０１の材料としてはシリコン基板を使用し、異方性エッチングにより、表面と裏面を貫通する微細な穴を形成する。次にこの微細な穴に光透過性を有する材料、例えばアクリル樹脂を充填したものを再生用開口２０２として使用する。次にシリコン基板の一面に、真空蒸着法を用いてＩＴＯ層を形成した後、このＩＴＯ層をフォトエッチングにより、再生用開口２０２の位置に記録用電極層２０１が形成されるようにパターニングする。さらに、記録用電極層２０１の上にポリイミド層を形成し、これもフォトリソグラフィ等の方法により所望の形状にパターニングしたものを絶縁層１０３として使用する。
【００１８】
本実施の形態に示したヘッド構造の場合、記録用電極層２０１と再生用開口２０２が平面上で同一の位置に存在するため、ヘッドを構成する部分のサイズを小さくすることができる。そこで、この構造を図３に示すように同一のヘッド基板上へ複数形成することにより、記録媒体の複数の領域に同時にアクセス可能な、高速記録再生に適したヘッド構成とすることも可能である。
【００１９】
なお、実施の形態１の場合と同様に、本実施の形態において例としてあげた材料、および製作工程も、同様の結果が得られるものであれば他の材料、製作工程を使用することが可能である。
◎実施の形態３
本実施の形態では、実施の形態１、２とは異なりプローブ形状を有するヘッドを使用する場合について説明する。図４にプローブ形状のヘッドの構成を示す。ヘッド構造体４０１は、光透過性を有する材料で構成されており、先端は記録領域の微細化に対応するために尖鋭化されている。ヘッド構造体４０１の表面には、導電性を有する材料で記録用電極層４０２が形成されており、その上には光透過性と導電性を有しない絶縁層４０３が形成されている。絶縁層４０３はヘッド構造体４０１の尖鋭化した最先端部分のみには形成されておらず、この部分は記録用電極層４０２が露出しており、この部分をヘッド記録部４０４とする。また、記録用電極層４０２はヘッド記録部４０４の部分は導電性と光透過性を有する材料で構成されている必要がある。もちろん記録用電極層４０２全体がこのような性質を有していてもよい。
本実施の形態に示したヘッドを製作する場合には、例えばヘッド構造体４０１に石英もしくはガラスファイバーを使用し、この先端を熱溶融や機械的研磨、化学的エッチング等により一端を尖鋭化する。次にこのファイバー表面にＩＴＯ薄膜をスパッタリング法にて形成し、記録用電極層４０２とする。さらにこの表面を不透明なエポキシ樹脂で被覆して絶縁層４０３とし、先端部分のみを機械的研磨するか、あるいはエキシマレーザーを先端部分のみに照射して除去することで、ヘッド記録部４０４の開口を形成する。本実施の形態においても同様の性状を有する他の材料や製造プロセスを用いることに支障はない。
◎実施の形態４
本実施の形態では、実施の形態１のヘッドを使用して情報の記録再生を行う場合の一例について説明する。
【００２０】
図５において、記録媒体は記録媒体基板５０１と電極層５０２、記録層５０３から構成されている。記録媒体基板５０１は光透過性を有する材料で構成されており、電極層５０２は光透過性と導電性を有する材料、記録層５０３は遮光性を有する材料でそれぞれ構成されている。また、記録媒体の記録面側には、微小な距離を介してヘッドが対向して設置されており、また、ヘッドの再生用開口１０４の直上には光の強弱を電気信号に変換する機能を有する受光素子５０４が設置されている。ヘッドの記録用電極層１０２と記録媒体上の電極層５０２は、記録用電源５０６と接続されている。また、記録媒体の記録面と反対側の面には、再生用光源５０５が設置されている。この再生用光源５０５はヘッドと連動して移動する構成であっても、また、固定された状態で記録媒体全面を均一に照射できる構成であってもよい。
【００２１】
このような構成において、情報を記録する際の手順としては、まず、記録媒体の情報を記録したい位置の直上にヘッドの記録用電極層１０２の絶縁層１０３がない部位（開口）がくるようにヘッドを移動させる。その機構は図中には示されていないが、従来の磁気記録や光学的記録の機構を使用することができる。次に記録用電源５０６により記録用電極層１０２と記録媒体の電極層５０２に放電が生じる適切な電圧を印加する。この放電により記録用電極層１０２の開口近傍にある記録層５０３が除去され、記録媒体のこの領域は裏面からの光が表面へ透過することができるようになる。この手順を記録媒体とヘッドを相対的に移動させながら繰り返し、必要な情報の記録を行う。このような手順で記録を行うことにより、記録媒体には情報のビット列に応じて、光を透過する部分と光が透過しない部分が生じることになる。
【００２２】
情報を再生する場合には、記録媒体の再生を行いたい情報が記録されている位置の直上にヘッドの再生用開口１０４がくるように移動させる。次に再生用光源５０５で記録媒体に光を照射すると、前述した情報の記録の際に記録層５０３が除去された領域では、光が透過し受光素子５０４に光が到達する。一方、記録層５０３が除去されなかった領域では、光が透過せず、受光素子５０４には光は到達しない。すなわち、記録媒体に記録した情報が、受光素子５０４によって電気信号へと変換され再生される。
【００２３】
ここでは、実施の形態１で示したヘッドを使用した場合について説明したが、実施の形態２や実施の形態３で示したヘッドを使用しても問題はない。図６は実施の形態２で示したヘッドを使用した場合について示しているが、全く同様に情報の記録と再生を行うことができる。なお、図６のような構成とした場合には、記録が行われたかどうかを確認しながら情報の記録を行うことも可能である。すなわち、記録を行うための電圧を記録用電源５０６で印加しながら、同時に再生用光源５０５で光を記録媒体へと照射し、再生用開口２０２を介して受光素子５０４の出力を測定する。そして、受光素子５０４の出力が十分なレベルに達したところで記録用電源５０６からの電圧印加を停止する。このような構成とすれば、確実に情報が記録された時点で電圧の印加を停止させることができ、信頼性の向上、消費電力の低減などの効果が得られる。
【００２４】
本実施の形態の一部を変更した実施の形態として、記録媒体上の記録層５０３を導電性を有する材料とし、電極層５０２を兼ねる構造としても同様の結果を得ることができる。また、記録層５０３の材料を昇華しやすい材料として、放電ではなく電解蒸発や流れる発熱による溶融、蒸発によって記録層５０３を除去する構造としても同様の結果が得られる。
また、図７に示すように、再生用開口１０４の部分に導波路７０１を設け、導波路７０１と、受光素子５０４と再生用光源５０５をビームスプリッタ７０２を介して光学的に接続した構成とすることもできる。この場合、再生用光源５０５からの光は導波路７０１と再生用開口１０４を通って、記録媒体の記録層５０３に照射され、記録層５０３の状態を反映した反射光が、同じように再生用開口１０４、導波路７０１、ビームスプリッタ７０２を経由して、受光素子５０４へと入射されることになる。
本実施の形態において、さらに記録密度を向上させる場合には、ヘッドの記録用電極１０２の開口のサイズを小さくし、ヘッドと記録媒体の距離小さくする。また、記録層５０３の除去された部分のサイズが光の回折限界を越えてしまった場合には、近視野光を利用することで、情報の再生を行う構成とすることができる。
◎実施の形態５
本実施の形態では、実施の形態３のヘッドを使用して情報の記録再生を行う場合の一例について説明する。図８において、記録媒体は電解液８０１中に浸漬されている。また、プローブ形状ヘッドも先端のヘッド記録部４０４が電解液８０１中で記録媒体の表面に近接した状態で設置されている。記録媒体は、導電性を有する材料からなる記録媒体基板５０１と、その表面に形成された記録層５０３から構成される。記録媒体基板５０１とプローブ形状ヘッドの記録用電極層４０２は記録用電源５０６に接続されている。また、ヘッド構造体４０１には、受光素子５０４と再生用光源５０５がビームスプリッタ７０２を介して光学的に接続された構造となっている。
【００２５】
情報の記録を行う場合は、プローブ形状ヘッドのヘッド記録部４０４を記録媒体の記録位置に移動させ、記録用電源５０６により記録用電極層４０２と記録媒体の記録媒体基板５０１に電気化学反応が生じる適切な電位を印加する。ここでの電気化学反応としては、ヘッド記録部４０４近傍にある記録層５０３が、電解液中にイオンとして溶出される反応、逆にヘッド記録部４０４近傍にある記録媒体基板上に電解液中のイオンが記録層５０３として析出する反応、あるいは、ヘッド記録部４０４近傍にある記録層５０３がエレクトロクロミック反応により、着色等の光学的な特性に変化が生じる反応のいずれかの反応である。また、記録層５０３や電解液８０１は、これらの電気化学反応のいずれかに適した材料を選択しなければならないことは言うまでもない。いずれの反応を利用するにせよ、プローブ形状ヘッドと記録媒体を相対的に移動させながら、記録する情報に応じて、記録用電源５０６で電圧を印加することで、記録媒体上には、物理的な凹凸や光反射特性、あるいは光吸収特性の異なる領域が形成されることになる。
【００２６】
次にこの情報を再生する場合には、記録媒体の再生を行いたい情報が記録されている位置の直上にヘッド記録部４０４がくるように移動させる。次に再生用光源５０５で記録媒体に光を照射すると、記録媒体上の記録層５０３の状態を反映した反射光が再びヘッド記録部４０４を透過、ビームスプリッタ７０２を介して受光素子５０４へと到達する。記録原理が、記録層５０３の電気化学反応によるイオン化による溶出、電解質溶液８０１からの物質の析出による記録層５０３の形成であった場合には、記録層５０３の状態の違いは、受光素子５０４においては、微少な凹凸に起因する光強度の差、反射光のスペクトルの違い等として現れる。電気化学反応がエレクトロクロミック反応であった場合には、記録層５０３の状態の違いは、受光素子５０４においては、反射光のスペクトルの違い等として現れる。いずれの場合にも、記録媒体に記録された情報は、受光素子５０４で電気信号へと変換され、再生が行われる。
【００２７】
本実施の形態を具体的に行う場合には、例えば、記録層５０３としてアルミニウム薄膜を、電解液８０１としては硫酸ナトリウム水溶液を使用し、記録用電源５０６で印加する電圧をアルミニウムがイオン化する電位とすると、情報をアルミニウム薄膜上に微少なピットの有無として記録することができる。また、記録媒体基板５０１に鏡面研磨したニッケル板の表面に金をメッキしたものを、電解液８０１に硫酸銅水溶液を使用し、記録用電源５０６で印加する電圧を銅イオンが金属銅に還元される電位とすると、銅の微小なドットの有無として情報を記録することができる。この構成の場合、印加する電圧を金属銅が銅イオンとして溶出する電位に変更することにより、一旦記録した銅のピットを逆にイオン化して溶出させることができる。すなわち、記録した情報の消去や書き換えを行うことが可能である。さらに、情報記録媒体５０１に鏡面研磨したニッケル板の表面に白金をメッキしたものを、記録層５０３としてプルシアンブルー薄膜を、電解液８０１として塩化カリウム水溶液を使用すると、プルシアンブルーのエレクトロクロミズム現象に基づく無色の領域と濃青色の領域をビット状態に割り当てることにより情報を記録することができる。このような構成の場合も、記録の消去や書き換えを行うことが可能である。
【００２８】
なお、本実施の形態において例としてあげた材料は、他の同様の機能を有するものを使用することができる。
【００２９】
【発明の効果】
本発明の情報記録再生方法および情報記録再生装置によれば、情報を記録再生するヘッドと記録媒体を近接かつ対向して配置し、情報を記録する際に、ヘッドにより記録層に光透過特性、あるいは光吸収特性、あるいは光反射特性の少なくともいずれか一つが異なる領域を、記録層上への電気化学反応による物質の析出、あるいは記録層の電気化学反応によるイオン化、あるいは記録層のエレクトロクロミズム現象、あるいは記録層の放電現象による除去、あるいは記録層の電界蒸発による除去の少なくともいずれか一つの方法により形成し、情報再生時には、記録層の特定領域の光透過性、あるいは光吸収性、あるいは光反射特性をヘッドで検出する構成としている。すなわち、情報の記録は記録媒体上に磁気的ではなく、光学的になされているため、１ビットあたりの記録領域の微小化に伴う記録の不安定性の問題は生じない。また、再生時に近視野光を利用しやすい構造とすることで、従来の光学的記録における光の回折限界の問題も回避することが可能である。
【００３０】
さらに、情報の記録には、放電現象や電解蒸発、電気化学反応を利用することで、従来のレーザーを照射して記録媒体を加熱する方法に比較して、非常に少ないエネルギーで情報の記録を行うことができる。このため、装置の消費電力を低減できる。また、ヘッドには、少なくとも記録を行うための電圧を記録媒体の局所領域に印加できる構造と、再生用の光学的な開口だけがあればよく、情報を記録するためのヘッド構造を非常に簡略化でき、小型化するのも容易であるという効果も得られる。
【図面の簡単な説明】
【図１】本発明の情報記録再生方法および情報記録再生装置で使用するヘッドの第一の例の構造を示す模式図である。
【図２】本発明の情報記録再生方法および情報記録再生装置で使用するヘッドの第二の例の構造を示す模式図である。
【図３】本発明の情報記録再生方法および情報記録再生装置で使用するヘッドの第三の例の構造を示す模式図である。
【図４】本発明の情報記録再生方法および情報記録再生装置で使用するヘッドの第四の例の構造を示す模式図である。
【図５】本発明の情報記録再生方法および情報記録再生装置において情報の記録と再生を行う際の第一の例の構成を示す模式図である。
【図６】本発明の情報記録再生方法および情報記録再生装置において情報の記録と再生を行う際の第二の例の構成を示す模式図である。
【図７】本発明の情報記録再生方法および情報記録再生装置において情報の記録と再生を行う際の第三の例の構成を示す模式図である。
【図８】本発明の情報記録再生方法および情報記録再生装置において情報の記録と再生を行う際の第四の例の構成を示す模式図である。
【符号の説明】
１０１    ヘッド基板
１０２    記録用電極層
１０３    絶縁層
１０４    再生用開口
２０１    記録用電極層
２０２    再生用開口
４０１    ヘッド構造体
４０２    記録用電極層
４０３    絶縁層
４０４    ヘッド記録部
５０１    記録媒体基板
５０２    電極層
５０３    記録層
５０４    受光素子
５０５    再生用光源
５０６    記録用電源
７０１    導波路
７０２    ビームスプリッタ
８０１    電解液
【図１】
0004520628.tif 000002
【図２】
0004520628.tif 000003
【図３】
0004520628.tif 000004
【図４】
0004520628.tif 000005
【図５】
0004520628.tif 000006
【図６】
0004520628.tif 000007
【図７】
0004520628.tif 000008
【図８】
0004520628.tif 000009